(57)【要約】【課題】保持対象や装着対象によらず、安定した装着性を有し、加えて安定した保持力を有するホルダを提供することを課題とする。【解決手段】  装着対象に装着され保持対象を保持するホルダ本体１を備え、前記ホルダ本体１は、前記保持対象を保持可能な保持部２と、前記装着対象に装着可能な２以上の装着部３と、を有し、前記保持対象が保持される保持点２１に働く力の作用線Ａが、少なくとも２つの前記装着部３の間に存在することを特徴とする構成となっている。【選択図】図１
2019198403.tif 000002
【特許請求の範囲】
【請求項１】
装着対象に装着され保持対象を保持するホルダ本体を備え、
前記ホルダ本体は、前記保持対象を保持可能な保持部と、
前記装着対象に装着可能な２以上の装着部と、を有し、
前記保持対象が保持される保持点に働く力の作用線が、少なくとも２つの前記装着部の間に存在することを特徴とする、ホルダ。
【請求項２】
前記保持部は、少なくとも２つの前記装着部の間に配置されていることを特徴とする、請求項１に記載のホルダ。
【請求項３】
前記装着部は、前記ホルダ本体に向かって付勢されて前記装着対象を挟持可能な挟持点を有していることを特徴とする、請求項１又は請求項２の何れかに記載のホルダ。
【請求項４】
前記挟持点を前記ホルダ本体に向かって付勢させる付勢手段をさらに備え、
前記付勢手段は、複数の前記挟持点が設けられた天秤部を有していることを特徴とする、請求項３に記載のホルダ。
【請求項５】
前記付勢手段は、回動軸を介して前記天秤部と接続する操作片を有し、
前記回動軸は、前記天秤部の中心に配置されていることを特徴とする、請求項４に記載のホルダ。
【請求項６】
前記挟持点を前記ホルダ本体に向かって付勢させる付勢手段をさらに備え、
前記付勢手段は、少なくとも１つの前記挟持点が設けられた操作片と、
前記操作片に接続され少なくとも１つの前記挟持点が設けられた板ばねと、を有していることを特徴とする、請求項４に記載のホルダ。
【請求項７】
前記板ばねは、前記操作片に接続される接続部と、この接続部の基端側からホルダ本体側に向かって立ち上がる可動ばね部と、この可動ばね部の先端を操作片側に向かって屈曲させた屈曲部と、を有することを特徴とする、請求項６に記載のホルダ。
【請求項８】
前記ホルダ本体が環状に形成されていることを特徴とする、請求項１〜６の何れかに記載のホルダ。
【発明の詳細な説明】
【技術分野】
【０００１】
本発明は、メガネやボールペン等の保持対象を衣類等の身近なものに着脱自在に装着可能なホルダに関する。
【背景技術】
【０００２】
通常、メガネやボールペン等は、収納ケースに入れ、鞄や机にしまっておき、必要な時にケースから取り出して使用される。しかしながら、老眼鏡のように、文字を読む際にのみ使用する場合や、咄嗟にペンが必要となった場合には、ケースからの出し入れが億劫であったり、収納場所を忘れてしまったりと、必要な時にすぐに使えないことも多く見られる。
【０００３】
まぶしい時に装着し、薄暗い場所では不必要となるサングラス等も同様であるが、これらの保持品はその都度ケースに収納せず、衣類のポケット等に仮収納することも多くある。これらは装着者の動作により安定性を失い落下、破損等が発生することも考えられる。
【０００４】
そこで、眼鏡を取り外した際にそのまま身に装着するためのホルダが提案されている。例えば、特許文献１には、ネクタイ留の表面に眼鏡のフレームを通す穴あき具を取り付けたメガネ掛け具付ネクタイ留めの技術が記載されている。
【０００５】
また、特許文献２には、ペンダントヘッドの中央部に切り込みを入れ、そこに眼鏡のテンプル部分を差し込んで固定する、ペンダントとしても使用可能なメガネホルダの技術が記載されている。
【先行技術文献】
【特許文献】
【０００６】
【特許文献１】実用新案登録第３０１１０６９号公報
【特許文献２】特許出願公開第２０１３−７３２３１号公報
【発明の概要】
【発明が解決しようとする課題】
【０００７】
しかしながら、特許文献１に記載のメガネ掛け具付ネクタイ留めは、タイバー式とタイタック式があるが、両者とも穴あき具が一点のみで支持されている状態である。そのため、メガネ等を掛けた際に荷重が一点に集中してしまうことにより、タイバー式ではホルダ本体がモーメント力を受けて回転してしまい、タイタック式では衣類に空いた穴に力が集中するため、衣類を傷める等の可能性が考えられる。
【０００８】
また、眼鏡はテンプル部でのみ掛けられた状態であり、掛部を除いた全ての部分が自由に動くことが予想される。つまり、装着者の動きに合わせて眼鏡本体が揺れ、装着者の動作時に障害となる、または安定性を失い落下につながるという問題がある。
【０００９】
さらに、特許文献２の記載にあるメガネホルダは、装飾品としての効果や落下防止、収納場所忘れ防止の効果はあるものの、眼鏡自体の着脱が困難であることやペンダントヘッドの挙動が装着者の動作を妨げる可能性等が問題として挙げられる。
【００１０】
本発明は、以上のような点を考慮してなされたものであり、保持対象や装着対象によらず安定した装着性を有し、加えて安定した保持力を有するホルダを提供することを課題とする。
【課題を解決するための手段】
【００１１】
前記課題を解決するため、本発明では以下の手段を採用した。
本発明に係るホルダは、装着対象に装着され保持対象を保持するホルダ本体を備え、前記ホルダ本体は、前記保持対象を保持可能な保持部と、前記装着対象に装着可能な２以上の装着部と、を有し、前記保持対象が保持される保持点に働く力の作用線が、少なくとも２つの前記装着部の間に存在することを特徴とする。
【００１２】
本発明に係るホルダによれば、ホルダ本体を２つ以上の装着部で支持することにより、ホルダ自体が回転することを抑制するのに加え、保持対象を安定して保持することができる。
【００１３】
さらに、装着部の少なくとも２つが、保持対象により保持点に働く力の作用線を挟んで左右両側に配置することにより、保持対象の荷重が左右両側から各装着部に分散してかかるため、安定して装着対象に装着に加え、保持対象も保持できる。
【００１４】
本発明の好ましい形態では、前記保持部は、少なくとも２つの前記装着部の間に配置されていることを特徴とする。
このように、保持部が装着部の間に配置されることにより、保持対象による力を装着部同士で分散して、よりバランスよく支持することができるため、ホルダ本体の安定した装着を可能し、保持対象の保持に十分な力を有する。
【００１５】
本発明の好ましい形態では、前記装着部は、前記ホルダ本体に向かって付勢されて前記装着対象を挟持可能な挟持点を有していることを特徴とする。
このように、装着部において、さらに付勢し挟持できる機構を採用することにより、装着対象をホルダ本体と挟持点とで挟み込む装着形式となり、保持力、装着性の向上が見込める。
【００１６】
本発明の好ましい形態では、前記挟持点を前記ホルダ本体に向かって付勢させる付勢手段をさらに備え、前記付勢手段は、複数の前記挟持点を有した天秤部を有していることを特徴とする。
このように、付勢手段を備えた挟持点同士を接続する天秤部を有する構成とすることにより、挟持点でより強固に挟持し、さらに天秤部によっても装着対象を挟持できる。なお、この天秤部は、生地などの装着対象がたわむ現象を配慮したものである。つまり、天秤部が装着対象に密着可能となり、挟持点に加えて天秤部によっても挟持できる。
【００１７】
本発明の好ましい形態では、前記付勢手段は、回動軸を介して前記天秤部と接続する操作片を有し、前記回動軸は、前記天秤部の中心に配置されていることを特徴とする。
このように、天秤部の接続に回動軸を使用することにより、天秤部の中央を中心として回動自在に動くことが可能となる。このため、装着対象の厚さや、角度等の条件によらず装着対象の状態に合わせて天秤部が回動し、密着して装着することができる。つまり、天秤部が装着対象に密着することにより、装着対象への装着性と保持対象の保持性を同時に向上させることができる。
【００１８】
本発明の好ましい形態では、前記挟持点を前記ホルダ本体に向かって付勢させる付勢手段をさらに備え、前記付勢手段は、少なくとも１つの前記挟持点が設けられた操作片と、前記操作片に接続され少なくとも１つの前記挟持点が設けられた板ばねと、を有していることを特徴とする。
このように、付勢手段として天秤部の代わりに板ばねを配置すると、板ばねは外力が働かない限り動かないため、装着時に加えホルダを取り外す際にも、装着対象に引っかかることなく滑らかな着脱が可能となる。また、板ばねも付勢機構として作用するため、付勢機構を有する箇所が増え、さらに板ばねが装着対象の厚さや角度等の条件により上下に可動して調節することができるため、より安定して装着することができる。
【００１９】
本発明の好ましい形態では、前記板ばねは、前記操作片に接続される接続部と、この接続部の基端側からホルダ本体側に向かって立ち上がる可動ばね部と、この可動ばね部の先端を操作片側に向かって屈曲させた屈曲部と、を有することを特徴とする。
このように、板ばねが接続部によりしっかりと操作片に接続され、ホルダ本体に向かって立ち上がる可動ばね部を有することにより、可動ばね部が外力によって弾性変形と、外力が解放されることによって元に戻ろうとする復元力とで上下に動き、装着対象の条件によらず挟持することができる。また、板ばねに屈曲部を設けることにより、特にホルダを取り外す際に装着対象に沿って滑らかに動くことができるため、装着対象への引っかかり等を防止し、装着対象の損傷等も防ぐことができる。
【００２０】
本発明の好ましい形態では、前記ホルダ本体が環状に形成されていることを特徴とする。
このように、ホルダ本体が環状に形成されていることにより、保持対象の脱落を抑制することができる。
【発明の効果】
【００２１】
本発明によれば、保持対象や装着対象によらず、安定した装着性を有し、加えて安定した保持力を有するホルダを提供することができる。
【図面の簡単な説明】
【００２２】
【図１】本発明の実施形態１に係るホルダの斜視図である。
【図２】本発明の実施形態１に係るホルダの斜視図である。
【図３】本発明の実施形態１に係るホルダの平面図である。
【図４】本発明の実施形態１に係る保持対象をホルダに取り付ける様子を示す説明図である。
【図５】本発明の実施形態１に係るホルダの使用状態を示す説明図である。
【図６】本発明の実施形態１に係るホルダの使用状態を示す説明図である。
【図７】本発明の実施形態１に係るホルダの使用状態を示す説明図である。
【図８】本発明の実施形態２に係るホルダの斜視図である。
【発明を実施するための形態】
【００２３】
以下、本発明を図面に示した好ましい実施形態１及び実施形態２について図１〜図８を参照して説明する。本発明の技術的範囲は、添付図面に示した実施形態に限定されるものではなく、特許請求の範囲に記載された範囲内において、適宜変更が可能である。
【００２４】
＜実施形態１＞
図１ないし図２は本実施形態に係るホルダＨ１の構成を説明する図である。図１は、ホルダＨ１を斜め下方から観察した斜視図である。図２は、ホルダＨ１を斜め上方から観察した斜視図である。図３は、ホルダＨ１を上方から観察した平面図である。
【００２５】
本発明の実施形態１に係るホルダＨ１は、シャツＳ等の装着対象に装着可能であり、眼鏡Ｇ等の保持対象を保持可能な、ホルダ本体１を備えている。
ホルダ本体１は、眼鏡Ｇ等の保持対象を保持可能な保持部２と、シャツＳ等の装着対象に装着可能な２以上の装着部３と、を有している。
【００２６】
装着対象としては、本実施形態に示すシャツＳの前立て部Ｓ１以外にも、ネクタイや襟元、袖口、ベルト、ポケット等の衣服各部に装着することができる。さらに、鞄のポケットやショルダー部、帽子、車のサンバイザー等に装着が可能である。
保持対象としては、本実施形態に示す眼鏡Ｇ以外にも、サングラス等のアイウェアやペン等の文具、アクセサリー、ドライバー等の工具、イヤホン、ヘッドホン等を例示することができる。
【００２７】
なお、本実施形態では、ホルダ本体１を装着対象に装着した際に、装着対象が露出する表面側を上方向とし、逆に裏面側を下方向として、Ｘ軸方向に沿って上下方向を定める。また、ホルダ本体１の中心から装着対象の端部に向かう方向を基端方向とし、逆に装着対象の内側に向かう方向を先端方向として、Ｙ方向に沿って長さ方向を定める。さらに、Ｚ方向に沿って、ホルダ本体１の幅方向を定める。
【００２８】
ホルダ本体１は、一方が先細りの楕円形（卵形）に形成され、保持対象の一部を掛けて保持するための環状に形成された保持部２と、装着対象に安定して装着するための２つ以上の装着部３と、後述する押圧部５と、を有している。
【００２９】
保持部２は、保持対象が保持部２と接して掛止される保持点２１を有する。保持部２のサイズは保持対象の一部が掛けられる大きさであれば良く、保持対象のサイズに近いほど保持力が高くなる。例えば、様々なデザインが施された眼鏡Ｇのテンプルを容易に挿通できるよう、保持部２の幅は、好ましくは１０〜５０ｍｍの範囲に設定されている。
【００３０】
本実施形態では、ホルダ本体１が、一方が先細りの楕円形である例を示したが、ホルダＨ１のデザインコンセプトに合わせて任意の形状を採用することができ、ロゴやエンブレム等のデザインを採用しても良い。また、環状に限らず、切り欠きを有した形状（Ｕ字型や鉤型等）を採用することも可能である。ホルダ本体１のデザインにロゴやエンブレム等を施す場合には、周囲の人々に対しての宣伝効果を発揮させることができる。
さらに、装着部３を複数備えることで、装着性及び保持力が増すため、多様なサイズを選択することができる。なお、ホルダ本体１が環状に形成されている場合には、保持対象の落下を抑制することができる。
【００３１】
保持部２は、円形孔である例を示したが、ホルダ本体１と同様に、Ｕ字型や弧状の保持部２を採用しても良い。また、円形孔を１つ形成したデザインを示したが、この円形孔（保持部２）を複数形成しても良いし、ホルダＨ１のデザインコンセプトに合わせて任意の形状（例えば、四角形やハート形、星形等）を採用することもできる。
【００３２】
装着部３は、ホルダ本体１を装着対象に装着するための部位であり、２つ以上の装着部３がホルダ本体１に備えられている構成を採用している。ここで、装着部３の配置は保持対象の保持力に配慮したものであり、保持対象が掛けられることによって保持点２１に働く力の作用線Ａが、少なくとも２つの装着部３の間に配置されるように、装着部３が設けられている。
【００３３】
ここで、装着部３の配置は、少なくとも２つの装着部３の間に保持部２が配置されるようにしても良い。また、３つ以上の装着部３を配置する場合、ホルダ本体１の任意の場所に配置して良い。
また、この構成ではホルダ本体１に装着部３が設けられ、保持部２に装着対象の生地がホルダ本体１に密着した状態であるが、装着対象の生地等がたわむ特徴により、保持対象の差し込みも容易に可能とし、かつ安定して保持することができる。
【００３４】
図３は、本実施形態に係るホルダＨ１の平面図である。装着部３と保持点２１と力の作用線Ａの関係が示されており、本実施形態で装着部３は保持点２１に働く力の作用線Ａと保持部２を間に挟むように配置されている。なお、保持点２１と保持点２１に働く力の作用線Ａは保持部２に保持対象が掛けられることで発現する。
このような構成により、保持対象による荷重を装着部３に均等に力を分散させることが可能となり、装着対象を挟持し、保持対象を保持することができる。
【００３５】
装着部３における装着方法は様々存在し、その中から最良のものを選択することができる。例えば、ネクタイピン等に用いられるタックピンやクリップ、衣服に穴を開けずに装着可能な面ファスナーやマグネット等を採用することができる。
【００３６】
この装着部３は、ホルダ本体１に向かって付勢され、装着対象をホルダ本体１とで挟持可能な挟持点３１を有する構成であることが望ましい。このように、挟持点３１を有することにより、装着対象をホルダ本体１とで挟み込んで装着することが可能となり、同時に保持対象を安定して保持する力を発揮することができる。
【００３７】
本実施形態におけるホルダＨ１は付勢手段４を有し、挟持点３１が両端に配置された天秤部４１１を備えている。この付勢手段４は、可動挟持片ａ４１と固定部４３、可動挟持片ａ４１と固定部４３をつなぐ腰部４４を有しており、固定部４３によりホルダ本体１と接続している。
【００３８】
なお、本実施形態で付勢手段４には、コイルばねによる付勢機構が設けられている。付勢機構としては、コイルばねに限らず材料自体の復元力を利用したものや、磁石を利用したもの等、慣用の機構を採用することが当然に可能である。
【００３９】
本実施形態においては、挟持点３１が天秤部４１１の両端に配置された例を示したが、少なくとも２点の挟持点３１が、前述した配置位置が限定された２つの装着部３と対応した位置にあれば良い。その他の挟持点３１はホルダ本体１上の任意の場所に１個又は複数個備えられていても良いし、備えられていなくても良い。
【００４０】
固定部４３は、ホルダ本体１の裏面基端側に固定され、可動挟持片ａ４１の安定した動作を可能としている。また、固定部４３の基端側端部には、可動挟持片ａ４１に向かって屈曲した腰部４４が形成されている。この腰部４４と可動挟持片ａ４１の間には、軸４２を介して回動自在に接続することに配慮し、コイルばねによる付勢機構を有するばね部４５が形成されている。
【００４１】
可動挟持片ａ４１は、軸４２を介して腰部４４と接続されている操作片ａ４１３と、この操作片ａ４１３の先端に取り付けられた天秤部４１１とが設けられている。
【００４２】
操作片ａ４１３は、先端側で回動軸４１２により回動自在に天秤部４１１と接続され、基端側には可動挟持片ａ４１を操作するための操作部ａ４１４が設けられている。この操作片ａ４１３は、操作部ａ４１４よりも先端側で腰部４４と接続されている。
【００４３】
天秤部４１１は、回動軸４１２により回動自在に接続されており、装着対象にホルダＨ１を装着する際に、可動挟持片ａ４１が大きく開くことを可能とするため、滑らかな装着を実現することができる。また、天秤部４１１の両端には、挟持点３１が設けられ、実際にはこの挟持点３１とホルダ本体１とで装着対象を挟持する。
装着後は、天秤部４１１が装着対象の形状に合わせて任意に回転し、ホルダ本体１とで装着対象を挟持することが可能であるため、装着対象の厚みや角度等の状態によらずホルダＨ１の安定した装着を可能とする。
【００４４】
具体的なホルダＨ１の装着方法は、ホルダ本体１に備えられている押圧部５と操作部ａ４１４を押圧して可動挟持片ａ４１を開き、ホルダＨ１の装着位置を決定する。その後、操作部ａ４１４の押圧を解放すると、ばね部４５の付勢機構により、ホルダ本体１に向けて付勢され、ホルダ本体１と可動挟持片ａ４１とで装着対象を挟み込むことで装着できる。
【００４５】
天秤部４１１は、ホルダ本体１自体の装着力に加え、保持対象に対する保持力にも配慮し、本実施形態では挟持点３１にさらに、ホルダ本体１に向けた突起が設けられている。  前述のホルダＨ１の装着方法において、天秤部４１１が両端の挟持点３１に突起を有することで、さらなる挟持力を発揮することができる。
【００４６】
このように、挟持点３１の２点で装着対象を挟持・固定するため、装着したホルダＨ１自体が回転することを抑制することもできる。なお、これらの突起は２つに限定されるわけではなく、２点以上の突起を設けても良いし、面で支持する機構を採用しても良い。また、装着対象との接触箇所を複数点設けることは、装着における安定性に加え、装着対象の型崩れを抑制することができる効果を有する。
【００４７】
天秤部４１１は、保持対象の保持力を向上させる方法として、保持対象が保持部２の保持点２１に掛止されるだけでなく、装着対象の裏側から、付勢手段４によりホルダ本体１に向かって付勢し挟持されるため、保持対象自体にも力が伝わり、固定される効果を有する。なお、この効果は、装着対象の生地がたわむ現象に着目して見出されたものである。
【００４８】
ホルダ本体１に備えられている押圧部５は、付勢手段４の可動挟持片ａ４１を開閉する際に、操作部ａ４１４と同時に指で挟む部分である。本実施形態においては、この押圧部５が湾曲しており、何れの指を使用した際でも容易に、大きく可動挟持片ａ４１を開閉することできる構成となっている。また、押圧部５が湾曲していることにより、押圧しやすく、ホルダＨ１を取り外す際にも一度に大きく付勢手段４の可動挟持片ａ４１を開閉することができるため、装着対象に引っかかり糸を伸ばしてしまう等の事象を起こりにくくすることができる。
【００４９】
本実施形態では付勢手段４を、可動挟持片ａ４１が天秤部４１１を有する、いわゆるワイパー型のクリップ体を活用した例を示したが、２点以上を支持可能である機構であれば、慣用のクリップ方式（例えばスライド式やワニ口式等）や、マグネット、ピン等を採用することができる。
【００５０】
次に、図４ないし図７を参照して、本発明の実施形態１に係るホルダＨ１の使用方法について詳細に説明する。
図４は本実施形態に係るホルダＨ１を装着対象であるシャツＳに装着する手順を示す説明図である。
【００５１】
図４（ａ）は操作片ａ４１３の基端に配置される操作部ａ４１４を押圧し、ホルダ本体１と可動挟持片ａ４１の間に間隙を形成し、装着部位であるシャツＳの前立て部Ｓ１に移動する様子を示した図である。なお、図３に示すように、操作部ａ４１４を押圧する際に、指の掛かるホルダ本体１の押圧部５が湾曲し、可動挟持片ａ４１を開閉しやすい構造となっている。
【００５２】
図４（ｂ）は、図４（ａ）のままの状態でホルダＨ１を先端方向にスライドさせ、装着位置まで移動させる。装着部３はホルダ本体１に設けられているため、本実施形態における可動挟持片ａ４１及び、その天秤部４１１が保持部２の位置から簡単に把握できる。これにより装着対象への無駄な接触の防止につながり、滑らかな装着を可能とする。また、ホルダ本体１は全体に面取りが施されているため、装着対象に触れても引っ掛かりは起こらない。
【００５３】
最後に、図４（ｃ）に示すように、操作部ａ４１４の押圧を解放し、ばね部４５の付勢機構により挟持点３１を有する天秤部４１１をホルダ本体１に向けて付勢することで、前立て部Ｓ１の生地を挟持して、ホルダＨ１がシャツＳに装着される。
【００５４】
図５は、保持対象である眼鏡ＧをホルダＨ１に取り付ける様子を示す説明図である。眼鏡Ｇをホルダ本体１に掛止する場合には、ホルダＨ１の幅方向（図１及び図２のＺ方向）に平行な軌道で、保持部２である円形孔に眼鏡Ｇのテンプル部を差し込む。
【００５５】
この時、ホルダ本体１の保持部２は裏から可動挟持片ａ４１の天秤部４１１及び挟持点３１で挟持されている。眼鏡Ｇを差し込む際には、装着対象の生地が眼鏡Ｇを差し込む軌道上にあるが、生地は柔らかく、硬い眼鏡Ｇ等の保持対象を押し当てると、生地がたわむため、無理なく差し込むことができる。
【００５６】
さらに、ホルダ本体１裏側の天秤部４１１及び挟持点３１により、生地を挟持しているため、装着対象はホルダ本体１と付勢手段４との間に挟持されることは自明であるが、保持対象も同時に、装着対象とホルダ本体１との間でしっかりと挟持することができる。この構成では、ホルダ本体１と装着対象、保持対象、付勢手段４が互いに作用するため、高い装着性、保持性を有する。
【００５７】
図６及び図７は、本実施形態に係るホルダＨ１の使用状態を示す説明図である。図６のように、胸元に近い位置の前立て部Ｓ１にホルダＨ１を取り付けいて使用しても良いし、図７のように、襟部Ｓ２に近い位置の前立て部Ｓ１にホルダＨ１を取り付けて使用しても良い。装着者Ｐの状況や気分によって好きな位置にホルダＨ１を装着することができる。
【００５８】
例えば、図７のように襟部Ｓ２に近い位置に装着した場合には、椅子に座った状態で眼鏡Ｇが机や食器等に接触しない位置に保持することが可能であるし、車のシートベルトに当たらない位置に配置することも可能である。
【００５９】
また、図６や図７のようにホルダＨ１を装着した場合には、眼鏡Ｇの荷重が可動挟持片ａ４１における挟持点３１でしっかりと保持し、さらに天秤部４１１でホルダ本体１全体に力を分散するため、前立て部Ｓ１や襟部Ｓ２の型崩れを抑制することができる。特に、Ｔシャツや柔らかい生地のブラウス等の襟元にホルダＨ１を装着した場合であっても襟元の形が崩れ難い。
【００６０】
図６及び図７に示すように、保持対象の眼鏡Ｇが保持部２に掛かることにより保持点２１と保持点２１に働く力の作用線Ａが存在する。これらの保持点２１と力の作用線Ａにより２つの装着部３の位置が決定し、このような装着部３の配置により、安定した装着性と保持力を発揮することができる。
【００６１】
＜実施形態２＞
以下、本発明の実施形態２に係るホルダＨ２について、図８を参照して詳細に説明する。この実施形態２に係るホルダＨ２は、先の実施形態１に係るホルダＨ１とは異なる付勢手段４を採用したことを特徴とする。なお、同実施形態において、先の実施形態１と基本的に同一の構成要素については、同一の符号を付してその説明を簡略化する。
【００６２】
図８は、実施形態２に係るホルダＨ２を斜め上方から観察した斜視図である。なお図８においては、ホルダ本体１は破線で示している。
この実施形態２に係るホルダＨ２は、実施形態１と同様に、眼鏡Ｇ等の保持対象を保持可能な保持部２と、シャツＳ等の装着対象に装着可能な２以上の装着部３と、を有するホルダ本体１を備えている。
【００６３】
また、弾性変形による復元力を活用した付勢手段４をさらに備え、可動挟持片ｂ４６と固定部４３、可動挟持片ｂ４６と固定部４３をつなぐ腰部４４を有しており、固定部４３によりホルダ本体１と接続している。固定部４３は、ホルダ本体１の裏面基端側に固定され、可動挟持片ｂ４６の安定した動作を可能としている。また、固定部４３の基端側端部には、可動挟持片ｂ４６に向かって屈曲した腰部４４が形成されている。この腰部４４と可動挟持片ｂ４６の間には、軸４２を介して回動自在に接続することに配慮し、コイルばねによる付勢機構を有するばね部４５が形成されている。
【００６４】
可動挟持片ｂ４６は、軸４２を介して腰部４４と接続されている操作片ｂ４６１と、この操作片ｂ４６１の先端側に取り付けられた板ばね４７とが設けられている。
【００６５】
板ばね４７は、操作片ｂ４６１と接続する接続部４７１と、この接続部４７１の基端側からホルダ本体１に向かって立ち上がる可動ばね部４７２と、この可動ばね部４７２の先端を操作片ｂ４６１に向かって屈曲させた屈曲部４７３と、を有している。
【００６６】
操作片ｂ４６１は、先端に挟持点３１を有し、挟持点３１よりも基端側で接続部４７１により板ばね４７が接続されている。基端には可動挟持片ｂ４６を操作するための操作部ｂ４６２が設けられている。この操作片ｂ４６１は、操作部ｂ４６２よりも先端側で腰部４４と接続されている。
【００６７】
可動ばね部４７２は、接続部４７１により操作片ｂ４６１に接続し、ホルダ本体１に向かって滑らかに立ち上がっていることにより、屈曲部４７３に配置された挟持点３１に外力（装着対象の挟持を含む）が生じると弾性変形し、逆に外力が解放されると復元力によって元の状態に戻るばねの機能を有している。屈曲部４７３に荷重がかかることにより、上下に位置を調節し、装着対象を挟持することができる。
このため、装着対象の厚さや角度等の条件によらず、常に同じ力で装着対象に取り付けることができる。ばね部４５だけでなく、板ばね４７によっても付勢力が作用するため、さらなる挟持力が期待できる。また、保持対象が重い場合も、この可動ばね部４７２の位置を調整することで、より大きな挟持力を引き出すことが可能である。
【００６８】
可動挟持片ｂ４６は可動挟持片ａ４１と異なり、回動自在に動く天秤部４１１の代わりに装着対象に装着する等の外力が加わることで上下に動く板ばね４７を有している。
この構成により、装着時は実施形態１と同様に可動挟持片ｂ４６が大きく開くことを可能とし、滑らかな装着を実現することができることに加え、取り外す際にも屈曲部４７３が動いて装着対象に基端側の挟持点３１が引っかかる等の事象を回避することができる。さらに、屈曲部４７３により、特に取り外す際に装着対象に沿ってホルダＨ２を動かすことができるため、より装着対象への引っかかり事象を防ぐことができる。これらにより、装着対象を傷める等の事象も回避可能となる。
【００６９】
以上のように、本発明によれば、保持対象が掛けられることによって保持点２１に働く力の作用線Ａが、少なくとも２つの装着部３の間に配置されるように、装着部３が設けられていることにより、ホルダ本体１を２点以上で支持することが可能であり、ホルダＨ１又はホルダＨ２が回転することの抑制に加え、保持対象を安定して保持することができる。
さらに、装着部３を増やすことにより、保持対象の荷重が分散して各点に作用するため、装着対象の型崩れや損傷を抑制することができる。
【００７０】
すなわち、装着部３が１つである場合には、ホルダＨ１又はホルダＨ２は容易に回転し、１点に保持対象の荷重が集中するため装着対象が損傷する可能性があったが、装着部３を２つ以上に増やし、かつ保持点２１に働く力の作用線Ａの両側に装着部３を分散させることにより、より安定した装着性、保持力を発揮し、さらに装着対象を傷めずにホルダＨ１又はホルダＨ２を装着し、保持対象を保持することができる。
【００７１】
また、実施形態１によれば、挟持点３１は天秤部４１１に設けられているため、装着対象の生地の裏側から挟持することができる。そのため、装着対象は、ホルダ本体１と付勢手段４との間に挟持されるだけでなく、保持対象も同時に、装着対象とホルダ本体１との間でしっかりと挟持することができる。
また、この時、保持部２は装着対象の生地を挟んで裏から天秤部４１１及び挟持点３１で挟持されている。保持対象を保持部２に差し込む際には、装着対象の生地が保持対象を差し込む軌道上にあるが、生地は柔らかいため、保持対象を押し当てると、生地がたわみ、無理なく差し込むことができる。
【００７２】
実施形態２によればホルダＨ２は、ホルダＨ１の天秤部４１１の代わりに板ばね４７を有しているため、付勢機構を有する場所が２つに増えることとなり、より大きな挟持力を持っている。装着方法や、保持機構等は、ホルダＨ１と同様であるが、板ばね４７が固定され、可動ばね部４７２も装着対象に装着する時の外力等の力以外では動かないため、装着時に加え、挟持点３１が装着対象に引っかからずに取り外すことができる。さらに、屈曲部４７３を有することにより、装着対象に沿った滑らかな取り外しを実現することができる。
【符号の説明】
【００７３】
Ｈ１，Ｈ２  ホルダ
Ｓ          シャツ
Ｇ          眼鏡
Ｐ          装着者
Ａ          力の作用線
１          ホルダ本体
２          保持部
３          装着部
４          付勢手段
５          押圧部
２１        保持点
３１        挟持点
４１        可動挟持片ａ
４２        軸
４３        固定部
４４        腰部
４５        ばね部
４６        可動挟持片ｂ
４７        板ばね
４１１      天秤部
４１２      回動軸
４１３      操作片ａ  
４１４      操作部ａ
４６１      操作片ｂ
４６２      操作部ｂ
４７１      接続部
４７２      可動ばね部
４７３      屈曲部
【図１】
2019198403.tif 000003
【図２】
2019198403.tif 000004
【図３】
2019198403.tif 000005
【図４】
2019198403.tif 000006
【図５】
2019198403.tif 000007
【図６】
2019198403.tif 000008
【図７】
2019198403.tif 000009
【図８】
2019198403.tif 000010